(57)【要約】【課題】オペレータが開閉扉を開いてランプ交換窓から手を差し込んだとき、ヒートシンクに触れても感電の恐れがない安全性と動作安定性を備えた内視鏡用光源装置を提供すること。【解決手段】ハウジング２内からランプ交換窓６側に向かって付勢手段１９Ａ，１９Ｂにより付勢されて一対のヒートシンク５Ａ，５Ｂに対し同時に当接する導電性の一対の導電スライド片１４Ａ，１４Ｂが、付勢手段１９Ａ，１９Ｂによる付勢方向にスライド自在に配置されると共に、ランプ交換窓６を開閉する開閉扉７に、一対の導電スライド片１４Ａ，１４Ｂを付勢手段１９Ａ，１９Ｂの付勢力に抗してランプ交換窓６側からハウジング２内に押し込むスライド片押込手段２２が設けられている。【選択図】      図１
2012245050.tif 000002
【特許請求の範囲】
【請求項１】
ハウジングに開口形成されたランプ交換窓の内側に、光源ランプ両端の電極部を個別に受けるソケットが形成された導電体からなる一対のヒートシンクが配置されて、上記ランプ交換窓をその外側から開閉することができる開閉扉が設けられた内視鏡用光源装置において、
上記ハウジング内から上記ランプ交換窓側に向かって付勢手段により付勢されて上記一対のヒートシンクに対し同時に当接する導電性の一対の導電スライド片が、上記付勢手段による付勢方向にスライド自在に配置されると共に、
上記一対の導電スライド片を上記付勢手段の付勢力に抗して上記ランプ交換窓側から上記ハウジング内に押し込むスライド片押込手段が上記開閉扉に設けられ、
上記開閉扉が閉じた状態では、上記スライド片押込手段が上記一対の導電スライド片を上記付勢手段による付勢力に抗して押し込んで、上記一対の導電スライド片が上記ヒートシンクから離れ、
上記開閉扉が開き始めると、上記スライド片押込手段が上記開閉扉と共に移動することにより、上記一対の導電スライド片が、上記付勢手段の付勢力で移動させられて上記一対のヒートシンクに同時に当接し、上記一対のヒートシンクを電気的に導通させることを特徴とする内視鏡用光源装置。
【請求項２】
上記一対の導電スライド片が、導電材により一体に形成されている請求項１記載の内視鏡用光源装置。
【請求項３】
上記一対の導電スライド片が、一枚の金属板を折り曲げて形成されている請求項２記載の内視鏡用光源装置。
【請求項４】
上記スライド片押込手段が、上記開閉扉から上記ランプ交換窓内に向かって突出して形成された突片である請求項１ないし３のいずれかの項に記載の内視鏡用光源装置。
【請求項５】
上記一対の導電スライド片が上記一対のヒートシンクに同時に当接した状態の時には上記ヒートシンクへの通電を阻止するように上記一対の導電スライド片の移動に連動して接断される安全スイッチが設けられている請求項１ないし４のいずれかの項に記載の内視鏡用光源装置。
【発明の詳細な説明】
【技術分野】
【０００１】
この発明は内視鏡用光源装置に関する。
【背景技術】
【０００２】
内視鏡用光源装置には、観察部位を照明するための照明光を発生させる光源ランプが内蔵されている。光源ランプから放射された照明光は、内視鏡内に配置されたライトガイドファイババンドルにより挿入部先端に伝達されて、観察部位に照射される。
【０００３】
光源装置内に備えられた光源ランプは一般に、光源ランプ両端の電極部を個別に受けるソケットが形成された導電体からなる一対のヒートシンクに取り付けられた状態で光源装置内に配置されている。
【０００４】
そのような光源ランプは、一定期間使用すると輝度が低下したり点灯しなくなったりするので、新しいものと交換する必要が生じる。そこで光源装置のハウジングには、光源ランプを交換するためのランプ交換窓が形成されている。
【０００５】
ランプ交換窓には開閉扉が配置されていて、通常の使用状態では開閉扉が閉じられている。そして、ランプ交換が必要になったら、オペレータが開閉扉を開いてランプ交換窓から光源装置内に手を差し込み、一対のヒートシンクに取り付けられた状態の光源ランプをヒートシンクと共に光源装置外に取り出す。
【０００６】
しかし、ヒートシンクは光源装置内においてランプ消灯時に帯電する場合が多い。その結果、ランプ交換作業の際にオペレ−タが光源装置内に手を差し込んでヒートシンクに触れると感電する恐れがあるので、ヒートシンクを予め除電する必要がある。
【０００７】
そこで従来は、一対のヒートシンクを光源装置内からランプ交換窓側に押し出す方向に個別に付勢する一対の付勢部材を設けて、その付勢部材がヒートシンクを移動させる際にヒートシンクが放電用電極に触れるようにしたり（特許文献１）、ランプ交換窓の開閉扉を開くと、開閉扉に取り付けられた放電用電極がヒートシンクに触れるようにしていた（特許文献２）。
【先行技術文献】
【特許文献】
【０００８】
【特許文献１】特開２００４−２５４７６０
【特許文献２】特開２００８−１６７９０３
【発明の概要】
【発明が解決しようとする課題】
【０００９】
しかし、特許文献１に記載された発明では、開閉扉を開いてランプ交換窓からその内部に手を差し込んだ時、ヒートシンクは動かないようにロックされていて、まだ除電されていない。
【００１０】
そこで、まずそのロックを解除する必要があるが、その際にヒートシンクに触れると感電する恐れがある。また、ロックを解除すると、一対のヒートシンクが個別に付勢部材で押されてスライドするので、傾きが発生して動作不良になる恐れもある。
【００１１】
特許文献２に記載された発明では、ランプ交換窓の開閉扉を開くとヒートシンクの除電が行われるのであるが、開閉扉に取り付けられた放電用電極がヒートシンクに触れるとそれ以上開閉扉を開くことができない状態になる。
【００１２】
したがって、放電用電極がヒートシンクに触れるタイミングは開閉扉が全開になった時であり、開閉扉が全開にならないうちに、オペレータがランプ交換窓から手を差し込んでヒートシンクに触れると、感電してしまう恐れがある。
【００１３】
本発明の目的は、オペレータが開閉扉を開いてランプ交換窓から手を差し込んだとき、ヒートシンクに触れても感電の恐れがない安全性と動作安定性とを備えた内視鏡用光源装置を提供することにある。
【課題を解決するための手段】
【００１４】
上記の目的を達成するため、本発明の内視鏡用光源装置は、ハウジングに開口形成されたランプ交換窓の内側に、光源ランプ両端の電極部を個別に受けるソケットが形成された導電体からなる一対のヒートシンクが配置されて、ランプ交換窓をその外側から開閉することができる開閉扉が設けられた内視鏡用光源装置において、ハウジング内からランプ交換窓側に向かって付勢手段により付勢されて一対のヒートシンクに対し同時に当接する導電性の一対の導電スライド片が、付勢手段による付勢方向にスライド自在に配置されると共に、一対の導電スライド片を付勢手段の付勢力に抗してランプ交換窓側からハウジング内に押し込むスライド片押込手段が開閉扉に設けられ、開閉扉が閉じた状態では、スライド片押込手段が一対の導電スライド片を付勢手段による付勢力に抗して押し込んで、一対の導電スライド片がヒートシンクから離れ、開閉扉が開き始めると、スライド片押込手段が開閉扉と共に移動することにより、一対の導電スライド片が、付勢手段の付勢力で移動させられて一対のヒートシンクに同時に当接し、一対のヒートシンクを電気的に導通させるものである。
【００１５】
なお、一対の導電スライド片が、導電材により一体に形成されていてもよく、一枚の金属板を折り曲げて形成されていてもよい。また、スライド片押込手段が、開閉扉からランプ交換窓内に向かって突出して形成された突片であってもよい。
【００１６】
また、一対の導電スライド片が一対のヒートシンクに同時に当接した状態の時にはヒートシンクへの通電を阻止するように一対の導電スライド片の移動に連動して接断される安全スイッチが設けられていてもよい。
【発明の効果】
【００１７】
本発明によれば、開閉扉が開き始めると、スライド片押込手段が開閉扉と共に移動することにより、一対の導電スライド片が付勢手段で移動させられて一対のヒートシンクに同時に当接し、一対のヒートシンクが電気的に導通して除電される。したがって、ランプ交換作業の際に、オペレータが開閉扉を開いてランプ交換窓から手を差し込んだとき、ヒートシンクに触れても感電の恐れがなくて高い安全性を得ることができる。
【００１８】
また、一対の導電スライド片を一体に形成することにより、一対の導電スライド片が共動して優れた動作安定性を得ることができる。
【図面の簡単な説明】
【００１９】
【図１】本発明の実施例に係る内視鏡用光源装置において、開閉扉が開けられた状態のランプ室の斜視図である。
【図２】本発明の実施例に係る内視鏡用光源装置において、開閉扉が開けられた状態のランプ室を裏側から見た状態の斜視図である。
【図３】本発明の実施例に係る内視鏡用光源装置において、開閉扉が開けられてヒートシンク固定ねじが緩められた状態のランプ室の斜視図である。
【図４】本発明の実施例に係る内視鏡用光源装置の全体構成を示す斜視図である。
【図５】本発明の実施例に係る内視鏡用光源装置において、開閉扉が開けられてランプユニットが取り外された状態のランプ室とその周辺の平面図である。
【図６】本発明の実施例に係る内視鏡用光源装置において、開閉扉が開けられてランプユニットが取り外された状態のランプ室の斜視図である。
【図７】本発明の実施例に係る内視鏡用光源装置において、開閉扉が開けられてランプユニットが取り外された状態のランプ室を裏側から見た状態の斜視図である。
【図８】本発明の実施例に係る内視鏡用光源装置における、開閉扉が閉じられた状態のランプ室の斜視図である。
【図９】本発明の実施例に係る内視鏡用光源装置において、開閉扉が閉じられた状態のランプ室を裏側から見た状態の斜視図である。
【発明を実施するための形態】
【００２０】
以下、図面を参照して本発明の実施例を説明する。
図４は、内視鏡用光源装置１の全体構成を示している。
光源装置１全体を囲むハウジング２の前面パネル部には、図示されていない内視鏡のライトガイドコネクタが差し込まれるコネクタ受け３が設けられている。
【００２１】
光源装置１内に設けられたランプ室１０には、観察部位を照明するための照明光を発生させるための光源ランプ５Ｌが配置されている。光源ランプ５Ｌから放射された照明光は、図示されていない内視鏡内に配置されたライトガイドファイババンドルにより内視鏡の挿入部先端に伝達されて、観察部位に照射される。
【００２２】
光源ランプ５Ｌは、前後両端の外周部分が正負両電極になっている。そして、光源ランプ５Ｌは、その電極部を個別に受けるソケットが形成された導電体からなる一対のヒートシンク５Ａ，５Ｂに取り付けられてランプユニット５を構成していて、そのランプユニット５がランプ室１０内に配置されている。
【００２３】
光源ランプ５Ｌは、一定期間使用すると輝度が低下したり点灯しなくなったりするので、新しいものと交換する必要が生じる。そこでハウジング２の側壁部には、光源ランプ５Ｌを交換するためにランプユニット５を着脱（出し入れ）する作業を行うためのランプ交換窓６が開口形成されている。
【００２４】
７は、ランプ交換窓６を外側から開閉することができる開閉扉７であり、通常の使用状態では開閉扉７は閉じられている。開閉扉７は、例えば蝶番８を中心に回動して開閉される。
【００２５】
図５は、開閉扉７が開けられてランプユニット５が取り外された状態のランプ室１０とその周辺の平面図であり、図６はそのランプ室１０の斜視図、図７はランプ室１０を裏側から見た状態の斜視図である。
【００２６】
図５に示されるように、コネクタ受け３とランプ室１０との間には、コネクタ受け３に差し込まれた内視鏡のライトガイドの入射端（図示せず）に照明光を集束させるための集束光学系９が配置されている。
【００２７】
そして、図５〜図７の各図に示されるように、光源装置１内に設けられたランプ室１０の底部には、図示されていないランプユニット５を載せるための電気絶縁材からなるランプ室床板１１が水平に設けられている。
【００２８】
１２Ａ、１２Ｂは、ランプユニット５の一対のヒートシンク５Ａ，５Ｂを個別に接触させた状態で固定保持するための電極であり、ヒートシンク５Ａ，５Ｂへの通電回路を構成している。
【００２９】
電極５Ａ，５Ｂはランプ室床板１１に固定的に垂直に立設されている。電極５Ａ，５Ｂの各々には、図６に示されるように、ヒートシンク５Ａ，５Ｂを固定するシンク固定ねじ（シンク固定ねじについては後述する）の先端を螺合させるための固定用ねじ孔１３Ａ，１３Ｂが形成されている。
【００３０】
ランプ室１０には、一対のヒートシンク５Ａ，５Ｂに当接する導電性の一対の導電スライド片１４Ａ，１４Ｂが配置されている。一対の導電スライド片１４Ａ，１４Ｂは、ランプ室床板１１の裏面に沿って配置された一枚の導電性の金属板からなる金属製平板１５の後端部（即ち、ランプ交換窓６側から見て奥側の端部）の左右両端部分を折り曲げて、金属製平板１５と一体に形成されている。
【００３１】
ランプ室床板１１には、導電スライド片１４Ａ，１４Ｂが個別に通過する長方形状のガイド溝１８Ａ，１８Ｂが、ランプ交換窓６に対して直交する向きに形成されている。その結果、一対の導電スライド片１４Ａ，１４Ｂは、ガイド溝１８Ａ，１８Ｂからランプ室床板１１の上面側に突出した状態で、ガイド溝１８Ａ，１８Ｂに沿ってランプ交換窓６に対し直交する方向に一体的にスライド自在である。
【００３２】
そのような一対の導電スライド片１４Ａ，１４Ｂは、ガイド溝１８Ａ，１８Ｂに沿って、即ちハウジング２内からランプ交換窓６側に向かって例えば圧縮コイルスプリングからなる付勢手段１９Ａ，１９Ｂにより各々付勢されている。
【００３３】
その結果、一対の導電スライド片１４Ａ，１４Ｂは一対のヒートシンク５Ａ，５Ｂに対し同時に当接して、金属製平板１５を介して一対のヒートシンク５Ａ，５Ｂを電気的に導通させることができる機能を有する。
【００３４】
図７に示されるように、ランプ室床板１１の裏面側に位置する金属製平板１５の後端部中央位置には、その後方に固定的に配置されているインタロックスイッチ１７（安全スイッチ）を接断させるためのスイッチング用突片１６が突出形成されている。
【００３５】
インタロックスイッチ１７は、スイッチング用突片１６で押されていない状態のときは、電極１２Ａ，１２Ｂへの通電回路（即ち、ヒートシンク５Ａ，５Ｂへの通電回路）を切断して、光源ランプ５Ｌが点灯しないように作用する。
【００３６】
また、開閉扉７の内面側の下端部中央位置には、開閉扉７が閉じられた時に金属製平板１５の先端に形成された押込受け部２１に当接して、金属製平板１５をランプ交換窓６側からその奥方向に押し込むための押込用突片２２（スライド片押込手段）が突出形成されている。
【００３７】
図８は、開閉扉７が閉じられた状態のランプ室１０の斜視図、図９は、その状態のランプ室１０を裏側から見た状態の斜視図である。光源装置１が使用される時は、この状態になっている。
【００３８】
図９に示されるように、開閉扉７が閉じられて、押込用突片２２が押込受け部２１に当接していることにより、金属製平板１５が付勢手段１９Ａ，１９Ｂの付勢力に抗して奥に押し込まれ、インタロックスイッチ１７がスイッチング用突片１６で押されて接続状態になっている。
【００３９】
一対のヒートシンク５Ａ，５Ｂは各々、図８に示されるように電極１２Ａ，１２Ｂに固定されている。そして、金属製平板１５と一体に形成されている各導電スライド片１４Ａ，１４Ｂは、圧縮コイルスプリングからなる付勢手段１９Ａ，１９Ｂを圧縮させる状態に後退して、ヒートシンク５Ａ，５Ｂから離れている。したがってこの状態においては、図示されていない点灯スイッチをオンにすることにより、光源ランプ５Ｌが点灯する。
【００４０】
図１は、ランプユニット５を外に取り出すために開閉扉７が開けられた状態のランプ室１０の斜視図、図２はその状態のランプ室１０を裏側から見た状態の斜視図である。この状態では、開閉扉７が開かれてランプ交換窓６が開放されているが、一対のヒートシンク５Ａ，５Ｂは、各々シンク固定ねじ２４Ａ，２４Ｂで電極１２Ａ，１２Ｂに固定されているので、開閉扉７が閉じられた使用状態から移動していない。
【００４１】
そして、開閉扉７が図８、図９に示された閉状態から開き始めると、押込用突片２２が開閉扉７と共に移動することにより、金属製平板１５がランプ交換窓６の方向にスライド自在になる。その結果、図１に示されるように、一対の導電スライド片１４Ａ，１４Ｂが、付勢手段１９Ａ，１９Ｂの付勢力で移動させられて一対のヒートシンク５Ａ，５Ｂに同時に当接し、一対のヒートシンク５Ａ，５Ｂが電気的に互いに導通した状態になる。
【００４２】
その時には、図２に示されるように、インタロックスイッチ１７が切断状態になる。したがって、例え図示されていない点灯スイッチがオンになっていても、ヒートシンク５Ａ，５Ｂへの通電は阻止されて、光源ランプ５Ｌは点灯しない。
【００４３】
このようにして、開閉扉７が開かれる際に、一対のヒートシンク５Ａ，５Ｂが電気的に互いに導通した状態になって、ヒートシンク５Ａ，５Ｂに帯電していた電荷が金属製平板１５に接続されている配線を通って放電され、ヒートシンク５Ａ，５Ｂが除電される。
【００４４】
したがって、ランプ交換作業の際にオペレータが開閉扉７を開いてランプ交換窓６から手を差し込んだときに、ヒートシンク５Ａ，５Ｂに触れても感電の恐れがない高い安全性を確保することができる。
【００４５】
そして、シンク固定ねじ２４Ａ，２４Ｂを緩めることにより、図３に示されるように、ヒートシンク５Ａ，５Ｂが付勢手段１９Ａ，１９Ｂの付勢力により電極１２Ａ，１２Ｂから離れてランプ交換窓６側に押し出され、ランプユニット５を容易に取り出して光源ランプ５Ｌを交換することができる。この時、一対の導電スライド片１４Ａ，１４Ｂが一体に形成されていて共動するので、動作に傾き等が発生せず安定した動作でヒートシンク５Ａ，５Ｂを取り出すことができる。
【符号の説明】
【００４６】
１  光源装置
２  ハウジング
５  ランプユニット
５Ａ，５Ｂ  ヒートシンク
５Ｌ  光源ランプ
６  ランプ交換窓
７  開閉扉
１０  ランプ室
１１  ランプ室床板
１２Ａ，１２Ｂ  電極
１４Ａ，１４Ｂ  導電スライド片
１５  金属製平板１５
１７  インタロックスイッチ（安全スイッチ）
１９Ａ，１９Ｂ  付勢手段
２２  押込用突片
【図１】
2012245050.tif 000003
【図２】
2012245050.tif 000004
【図３】
2012245050.tif 000005
【図４】
2012245050.tif 000006
【図５】
2012245050.tif 000007
【図６】
2012245050.tif 000008
【図７】
2012245050.tif 000009
【図８】
2012245050.tif 000010
【図９】
2012245050.tif 000011